(57)【要約】　　　（修正有）【課題】本システム基本は情報希望者・提供者を電光掲示板を媒体にして相互の認識からスタートするが、情報希望者・提供者相互の要求が増量した場合にもシステムの増設・改良に時間がかからず停滞感がなく運営できるため今後情報案内希望者の多様なニーズの掌握が課題と言える。【解決手段】インターネットを通じ情報希望者・情報提供者を電光掲示板の訴求力を利用し携帯電話所有者に通信して情報提供者及び情報案内希望者に効率よく効果的・スピーディーに詳細なデーターをフランチャイズ制にした運営会社によって供給する。【選択図】なし【特許請求の範囲】
【請求項１】
電光掲示板（４）の映像・グラフィック・テキスト文章を表示放映可能な目的とする所定の位置に設定、電光掲示板（４）を設置する周辺の飲食店・企業等（２）の案内図・店内模様・料金体系等々飲食店が案内を必要とする全般を基本として運営企画会社（５）がインターネット（１）通し飲食店・企業等の集客を目的とするホームページ（３）を放映・表示する、電光掲示板を見た大衆に対し、大衆の持つ携帯電話（６）に電光掲示板に表示された情報を提供する。システムを運営企画会社を中心にして（１〜６）を各役割毎に料金を設定、本システムフランチャイズ希望者に提供するシステムであり、システムを各セクション別に分けそれぞれのセクションでビジネス利益を受けることができる
【発明の詳細な説明】
本システムは地域活性化及び低迷する飲食店・商店街・企業を中心に、あらゆる情報を不特定多数の情報希望者に提供、今まで情報提供の手段と機会のなかった飲食店・企業等の集客希望者の利益を生みだし、本システムは情報希望者がいつでも、どこでも、誰でも簡単　に安心して情報を確認できるシステムである。
発明システムの機能説明（１〜６）
（１）　運営会社は飲食店・企業等の店内の案内画像・スタッフ写真・料金表・キャラクター・時間・休日等のインフォメーション等をサーバーに保有する。
（２）　飲食店・企業等の情報提供、広告宣伝を希望するすべてを企業電光掲示板兼用ホームページ作成しこれを運営企画会社が有料にて保有する。
（３）　携帯電話を持つ不特定多数の情報案内希望者の要求に電光掲示板周辺地域及び本システムのフランチャイズビジネス契約加入者地域の情報を提供する。
（４）　電光掲示板に説明された地域の本システムの加入者飲食店、企業等の情報は電光掲示板で表示宣伝し詳細情報は電光掲示板に記載されるサーバーアドレスへ交信をすることで携帯電話による情報案内希望者の求めに応じ詳細に提供される。
（５）　本システムは電光掲示板（４）飲食店・企業（２）携帯電話保有者（６）運営企画会社（５）をインターネット（１）を通じ、飲食店及び企業のホームページ（３）を交流・交信させるシステムである
システムの情報希望者が目的を達成するまでを項目として説明する
（１）　全国の地域は問わず携帯電話保有者はフランチャイズに加盟する本システムの所在地域で宿泊ホテル等の情報で電光掲示板利用の本システムをキャッチ、又は電光掲示板によってキャッチする。
（２）　設置された電光掲示板には地域の飲食店・企業等々の情報が各店舗特徴を表して放映・表示されている。
（３）　不特定多数のエンドユーザーはそこに表示記載される目的を達成するため、具体的で、詳細な情報を電光掲示板等に明示されるサーバーアドレスに交信し詳細な得ることができる
（４）　エンドユーザーは電光掲示板及びサーバーアドレスを通じ利用した飲食店・企業の場合本システムフランチャイズ契約規約で設定する規定により飲食店等が個々に設定した、価格の割り引き、贈答品等の特例利益を得ることができる。これは全国各地のフランチャイズ運営企画会社が共通に規約を設定利用することができる
飲食店等集客希望者が目的を達成するまでを項目として説明する。
（１）　飲食店・企業等本システム加入するには集客を目的とする店舗の情報を本システムが規定するホームページ作成フォーマットに沿い運営企会社に提出する企画運営会社の放映・表示プログラムにより電光掲示板に表示する
（２）　電光掲示板及びインターネットサーバーを通じ来訪した顧客に対して本システムの契約規約に基づき個々の特徴を最大限に生かし、来訪者に利益を持たせる
（３）　店頭にエンドユーザーが有料会員承諾を得て特定の全国本システムのフランチャイズ加盟運営会社のアドレス等の特定情報を本システム規約に基づいた価格にて、本システムが提供する情報挿入機にて提供、公序良俗に反しない情報を本システムの別途フォーマットに従って本システムの別途アドレスに登録し、正規会員として会員用の情報を発信する。
（４）　本システムに加入する飲食店等は会員登録の別途収入を規約に従い得ることができるシステムである。
運営企画会社が目的を達成するまでを項目として説明する
（１）　運営企画会社は集客希望の飲食店・企業等の情報提供用のホームページを作成する。
（２）　飲食店・企業等の放映契約に基づき電光掲示板にて放映、放映・表示プログラム・集客用のサーバーアドレスを案内する、また、エンドユーザーがアイキャッチできる企画を発案し、行動する。
（３）　エンドユーザーが契約する飲食店・企業等にて特別情報アドレスの契約に備えべ別途サーバーアドレスを設定飲食店が希望する内容で別途ホームページを本システムの規約に基づき作成する。
（４）　運営企画会社はこれら情報を希望する、情報提供者側情報希望者側の契約者に対して全般的統制をして管理する。
【０００１】
【発明（システム）の属する技術分野】
このシステムの発明は、インターネット技術を応用し電光掲示板と携帯電話を運営企画会社の保有するサーバーとリンクさせて相互に交信、情報　提供者側（飲食店・企業等々）（エンドユーザー）（企画運営会社）に相互の利益を生み出し情報提供するシステムである。システムの基本は電光掲示板表示にあり、電光掲示板の情報内容・データー・送信方法は本システムを基本として、技術の追加ができるのを最大の特徴としている。
【０００２】
【従来の技術】
従来、個々の飲食店が保有するホームページ形式の単独の一方向の片道の告知方法が有った。
【０００３】
【発明（システム）が解決しようとする課題】
これは次のような欠点があった
（イ）　飲食店が個々のホームページを保有してもそれはコンピューターによる検索のみで不便であり検索希望者も少なかった。
（ロ）　電光掲示板及び携帯電話による詳細な情報を得ることは出来なかった。
（ハ）　エンドユーザーは雑誌・新聞・又は専門紙を通じて目的とする飲食店情報を得ることが難しく、また、面倒であったその上情報を得る手段が余りないため仮に情報を希望し得るためには大きな時間を浪費するコンピューターによる検索を必要とした。
（ニ）　本来本システムの電光掲示板で設置地域の飲食店等を放映表示して、携帯電話にその情報を運営会社が保有する飲食店の詳細なデーターを提供するシステムがなかった。
本発明はこれらの欠点を除くためになされたものである。
【０００４】
【課題を解決するための手段】
（イ）　飲食店が個々に所有しているホームページを運営会社が本システムの形式のシステムに整理・又は新規作成し、検索しやすい方式に変更することにより目的である飲食店・企業等の情報告知希望を要約・スピーディーに提供することが出来る。また本システムの様式に合わせ今まで、ホームページの作成が困難であった飲食店・企業等も気軽に参加・加入が出来る。
（ロ）　地域のどこへ行っても事前の検索なしで電光掲示板に掲載されたアドレスに交信するだけで携帯電話保有者は簡単に希望する飲食店・企業等の詳細な情報を携帯電話利用で時間をかけずに検索して得ることができる。
（ハ）　本システムは電光掲示板（４）に設置地域周辺の飲食店のホームページ情報（３）をのせ、電光掲示板は表示が瞬時に動作しアイキャッチして記録出来ないことも有り電光掲示板ケーシングに画面で表示されている飲食店の詳細なデーターを保有した運営企画会社のサーバーアドレスを記載し、携帯電話（６）を持つ情報希望者にインターネット（１）を通じ情報を提供するシステムである
【０００５】
【発明（システム）の実施の形態】
図面電光掲示板（４）を運営企画会社の希望する場所に設置、運営企画会社（５）は、設置所在地域で営業活動をする飲食店案内雑誌社等と協定し、飲食店に加入説明をする、飲食店（２）は希望する集客用のホームページを常時放映・表示される電光掲示板用に編集・作成また、電光掲示板を見て飲食・企業情報を希望する携帯電話保有者への詳細な、もしくは電光掲示板と同内容の情報を電光掲示板に記載明記される詳細な情報を保有する運営企画会社のサーバーアドレスに提出し保有してもらう。携帯電話保有者が飲食店・企業の情報希望する場合、動作している電光掲示板のサバーアドレスに接続電光掲示板表示を見逃した場合でも、ケーシングに記載された、飲食店・企業情報専門サーバーアドレスと交信ができ、詳細な情報を得ることが出来る
【０００６】
【実施例】
新ビジネス特許のため現在実施例はない。
【０００７】
【発明（システム）の効果】
（イ）　本システムの効果はエンドユーザーが検索時間をかけずに飲食店及び企業情報の案内図・店内風景情報・利用価格等の詳細な情報を得ることが出来る。
（ロ）　本システムに加盟する飲食店及び企業は、不特定多数のエンドユーザーに情報を展開することができ、売上向上・地域の活性化につながる。
（ハ）　本システムは電光掲示板の広告の訴求力を利用し、より多くのエンドユーザーに本システムの利便性を認識してもらえることがでる。
（ニ）　本システムはフランチャイズを希望する地域の運営会社同士を全国的規模で・インターネットを通じ情報交換等インターネットで交流することが可能で、いつでも・誰でも・どこでも希望する情報を得ることができる。
（ホ）　本システムは各地域毎の運営企画会社を誕生させ、新規のビジネスとしても大きな発展と利益が期待できる。
本システムの説明図
【図１】本システムの発展する未来図
【符号の説明】
１　インターネット
２　飲食店・企業・団体
３　ホームページ
４　電光掲示板
５　運営企画会社
６　携帯電話
【手続補正書】
【提出日】平成14年12月30日(2002.12.30)
【手続補正１】
【補正対象書類名】明細書
【補正対象項目名】発明の詳細な説明
【補正方法】変更
【補正の内容】
【発明の詳細な説明】本発明は電子機器電光掲示板・携帯電話のそれぞれ固体としてもつ機能・役割を融合させ、中間にそれぞれの機能を最大限に引き出し融合させる通信ソフト・サーバーソフト・特殊映像ソフト・ビジネスソフトにより、今迄にない新しいビジネスシステムの展開を計画し実行できるものである。本発明のシステムの一部として使用される電光掲示板の従来の利用方法は小型はドット数の小さい活字表示で告知することを目標・目的としてとし、動く看板として製造・製作・販売が行われてきた、大型の電光掲示板はドット数が大きく映像の表示表現の可能な、画面型の電光掲示板が映像情報伝達用として、多くは企業の映像型広告塔として製造・製作・販売が行われてきた。
小型で活字表示と簡単なアニメの表示が可能な電光掲示板の多くは小売商店・飲食店・ディラー・パチンコ店等電光掲示板購入者の看板として、より多くの情報による購入者自身の販売目標・集客目標を目標・目的としてきた。
また大型のテレビジョン・アニメーション・グラフィツクが表示可能な電光掲示板の多くは大型都市の繁華街中心部に設置し自社の宣伝を目的とする企業の宣伝用映像をより多くの大衆にアイキャッチさせることを目標・目的に表示する手段として利用されてきた。
小型電光掲示板も大型電光掲示板も表現の方法が違うだけである、大小の電光掲示板はいずれも、電光掲示板所購入者若しくは電光掲示板を利用して広告業を業務とする所有者の知らせたい、知ってもらいたい、覚えてほしい、目立ちたい、来てもらいたい、見てもらいたい、忘れないでほしいという事を目標・目的に情報提示側の思惑に沿い設置されたものである。
従って、前述した小型・大型の電光掲示板の広告表示・放映をネットワークとして構築し、ビジネスを目的として展開している広告ビジネスの前例はある。それらは全て電光掲示板を利用はしているものの本発明のビジネスシステムとは基本的に大きく違うものである。
本発明は従来所有者側の一方通行型の、知らせたい、知ってもらいたい、覚えてほしい、目立ちたい、来てもらいたい、忘れないでほしいという事を目標を目的に沿い設置されていた営業目的としてネットワークした広告ビジネスシステムとは違うことにある。
本発明は知らせたい、知ってもらいたい、覚えてもらいたい、目立ちたい、来てもらいたい、見てもらいたい、忘れないでほしいという電光掲示板を所有した者の欲求を満たし、なおかつそれ以上に、電光掲示板をアイキャッチする大衆側・見る側の知りたい、見たい、行きたい、買いたい、感動したい、便利だ、教えたいという見る側の欲求本システムまで満たすものである。
本発明のビジネスシステムの基本は本システムの運営企画会社若しくは個人が映像グラフィック・アニメーション・写真・表現可能な電光掲示板を、駅周辺・繁華街等、本発明によるビジネスシステムを可能とする目的場所に設置する設置場所には本システムのビジネス運営側の募集した、地域の飲食店・企業等知らせたい側、情報提供者のコンテンツを具体的にホームページ、写真、グラフィック・テキストで電光掲示板表示する。ここまでは従来の電光掲示板と同様の目的をもつ、アイキャッチする側・大衆は電光掲示板の電光掲示板で表示されたり、電光掲示板のケーシングに書かれた運営者の提供するサーバーアドレスや、あらかじめ運営者側により、配布された電光掲示板設置場所周辺のホテル・飲食店・駅・又は新聞雑誌等で提供する本システムで製作されるサーバーのアドレスにて電光掲示板に表示された運営者と契約する情報提供者の個別のアドレスによりコンテンツを携帯電話によりアクセスして、知りたい情報をを自由に選出して飲食価格、店内風景、飲食店等の支払いシステムキャッチすることができる。又、情報提供者ではアクセスしてきた側の承諾を得てアクセス情報をファイル保存し新規の顧客として将来個別に情報の提供が可能となる。今迄、映像、テキスト・アニメーション・グラフィックが表現できる電光掲示板に表示された情報を、アイキャッチ側・大衆側から直接アクセスして知りたい情報を得るという手段はなく、都道府県・市町村の情報、飲食店等情報提供者側の一方通行の提供関係を、見る側の意志によって提供者の環境を利用できる環境にしたところに最大の特徴がある。それによって、運営者・電光掲示板所有者・電光掲示板を利用する情報提供者、電光掲示板を見る側の不特定多数の大衆、それぞれに大きなメリットを生み出し、その上電光掲示板による演出により地域活性化の目的も達　成することのできるビジネスシステムである。本システムの要約説明する。第一に企画運営者が映像・写真・グラフィック・アニメ等の表示可能な電光掲示板を目的とする場所に設置する。第二に電光掲示板設置周辺地域の飲食店・企業等の提供したい情報を作成する。第三にアイキャッチする一般の不特定の大衆側に電光掲示板で案内するコンテンツ、及び利用方法を周辺宿泊設備等に配布する。第四に不特定の大衆側は電光掲示板に提示された運営者側のアドレス又は周辺の宿泊設備に配布されたアドレスにより提供者側の詳細な案内情報を得ることができる。本システムにより次のようなメリットが生まれる。
情報提供者側のメリットは、例として飲食店の場合、店舗所在地地域に設置された映像・写真等の情報能力が大きい電光掲示板により広告案内・飲食料金・店内風景・従業員・案内地図等を毎日変化させ告知ができる上、運営者側サーバーにアクセスしてくる顧客データーを端末機によりファイルすることができる。又、大型電光掲示板の映像による店内の活気等も演出できる。又、健全で安心な料金体系等を公に公表できるサービス向上ともなる上、集客により収益率の向上がのぞめる。
情報利用者側のメリットは、例として出張先で飲食する場合、アドレスにアクセスすることにより、地域周辺の情報を簡単に素早く得ることができ、又、電光掲示板に表示・放映される情報により安心して目的とする場所にアクセスすることができる。
運営者側のメリットは、飲食店街・商店街・観光地・地場産業企業・官公庁の情報を製作提供することにより、地域活性化の一躍を担い貢献することができる、又ホームページの製作・アクセスシステムの提供・電光掲示板の放映料により収益が得られる。又、全国地域に設置することにより各運営者側の情報ネットワークの構築により利用者に大きな便宜を図ることができる。利用者は九州地域で、北海道地域の情報を得ることが可能になる。
本発明のメリットは現在の技術力によって基本的にスタートする。本システムは通信技術の進歩に合わせシステムをより発展させることが可能である。
本システムは電光掲示板を取り入れることにより、運営者側の詳細で豊富な情報提供により地域の活性化、一般大衆側の要求の便利な活用、集客を目的とする情報提供者側の三者がそれぞれに利益を得ることのできるビジネスシステムである。